(57)【特許請求の範囲】
【請求項１】
水平方向に長く延びると共に、その長手方向の各部断面が水面位置を横切って上下に延びる帯形状の第１遮水シートの延出端部と、この延出端部に対向する帯形状の第２遮水シートの延出端部とを上記第１遮水シートの幅方向のほぼ全体にわたり連続的に接合させるようにした遮水シートの延出端部同士の接合方法であって、
第１工程として、上記第１遮水シートの延出端部を折曲してこの延出端部の上記長手方向における端縁を上記水面位置よりも上方に位置させ、
第２工程として、上記第２遮水シートの延出端部の長手方向における端縁もしくはこの延出端部の幅方向における側縁と、上記第１遮水シートの延出端部の端縁とを接合させ、
第３工程として、上記第１遮水シートの延出端部の折曲を元の形状となるよう展開して、上記第２遮水シートを水平方向に長く延ばすと共にその長手方向の各部断面が上記水面位置を横切って上下に延びるようにしたことを特徴とする遮水シートの延出端部同士の接合方法。
【請求項２】
上記第１工程として、上記第１遮水シートの延出端部を折曲して、上記端縁を上記第１遮水シートの上縁とほぼ同じ高さに位置させ、
上記第２工程として、上記第２遮水シートを水平方向に長く延ばすと共に、その長手方向の各部断面が上記水面位置を横切って上下に延びるようにし、この第２遮水シートの延出端部の上側の側縁と、上記第１遮水シートの延出端部の端縁とを接合させたことを特徴とする請求項１に記載の遮水シートの延出端部同士の接合方法。
【請求項３】
上記第１工程として、上記第１遮水シートの延出端部を折曲して、上記端縁を上記第１遮水シートの上縁とほぼ同じ高さに位置させ、
一方、上記第２遮水シートを水平方向に長く延ばすと共に、その長手方向の各部断面が上記水面位置を横切って上下に延びるようにし、この第２遮水シートの延出端部を上記長手方向で折り返すよう折曲して折返片を形成すると共に、この折曲とは逆方向にこの折返片を折曲して、この延出端部の端縁を上記第２遮水シートの上縁とほぼ同じ高さに位置させ、
上記第２工程として、上記折曲した第１遮水シートの延出端部を、上記逆方向に折曲した上記折返片に相対的に嵌入させて、上記第１、第２遮水シートの延出端部の各端縁同士を接合させたことを特徴とする請求項１に記載の遮水シートの延出端部同士の接合方法。
【請求項４】
上記延出端部を折曲させるに際し、この延出端部を地面上に敷設し、次に、この延出端部の上面において、この延出端部を谷折れさせるべき折曲線に沿って重りを設置し、この重りを基準として上記延出端部を折曲させることを特徴とする請求項１から３のうちいずれか１つに記載の遮水シートの延出端部同士の接合方法。
【発明の詳細な説明】
【技術分野】
【０００１】
本発明は、水が存在する埋立域など有水域と、この有水域に隣接する護岸など遮水されるべき被遮水域との間に介設される遮水シートに関する方法であって、より詳しくは、互いに対向するよう延びる遮水シートの両延出端部同士を互いに接合させるための接合方法に関するものである。
【背景技術】
【０００２】
上記遮水シートの延出端部同士の接合方法には、従来、下記特許文献１に示されるものがある。この公報のものによれば、水平方向に長く延びると共に、その長手方向の各部断面が水面位置を横切って上下に延びる帯形状の遮水シート（符号５のもの）が設けられている。この遮水シートは、各種廃棄物を廃棄する埋立域を囲繞するように長く延びた護岸の傾斜した法面に敷設されている。
【０００３】
そして、上記遮水シートは、上記埋立域に存在する汚水が上記護岸の内部に浸入したり、この護岸を通り他所へ漏出したりすることを防止して、埋立地の周りを良好な環境に維持可能としている。
【特許文献１】特開２００２−２２４６３７号公報
【発明の開示】
【発明が解決しようとする課題】
【０００４】
ところで、上記護岸の法面に対する遮水シートの敷設は、例えば、次のようになされる。即ち、まず、上記護岸の長手方向で離れた箇所に第１、第２遮水シートをそれぞれ敷設する。次に、上記法面の長手方向に沿って互いに対向するよう延びてきた第１、第２遮水シートの延出端部同士を互いに接合させる。これにより、上記法面への遮水シートの敷設が完了する。
【０００５】
ここで、上記第１、第２遮水シートの両延出端部間の水密性を、より確実なものにするためには、これら両延出端部同士を互いに熱溶着や接着させることが好ましい。しかし、上記各遮水シートはその断面が水面位置を横切っていて、これら各遮水シートの下部は水面下に位置している。このため、上記両延出端部同士を互いに熱溶着などさせることは、水が邪魔になることによって、困難である。
【０００６】
そこで、従来では、上記両延出端部を水中で互いに重ね合わせて、この重ね合わせ部に流動性の遮水材料を高温状態で充填し、この遮水材料を水により冷却させることにより固化させて、水密性を確保するようにしている。
【０００７】
しかし、上記したように法面は傾斜しており、これにより、上記各遮水シートの長手方向の各部断面は上下に延びている。このため、上記両延出端部の重ね合わせ部に流動性の遮水材料を充填させようとするとき、この遮水材料は傾斜下方に自由に流動しがちとなる。よって、上記遮水材料の充填作業は容易でなく、つまり、上記延出端部同士の接合作業は煩雑となりがちである。
【課題を解決するための手段】
【０００８】
本発明は、上記のような事情に注目してなされたもので、本発明の目的は、互いに対向するように延びる遮水シートの両延出端部同士の接合作業によって、これら両延出端部間により確実な水密性が得られるようにすると共に、上記接合作業が容易にできるようにすることである。
【０００９】
請求項１の発明は、全図に例示するように、水平方向に長く延びると共に、その長手方向の各部断面が水面位置１１を横切って上下に延びる帯形状の第１遮水シート６（Ａ）の延出端部１２と、この延出端部１２に対向する帯形状の第２遮水シート６（Ｂ）の延出端部１２とを上記第１遮水シート６（Ａ）の幅方向のほぼ全体にわたり連続的に接合させるようにした遮水シートの延出端部同士の接合方法であって、
第１工程として、上記第１遮水シート６（Ａ）の延出端部１２を折曲Ａしてこの延出端部１２の上記長手方向における端縁１２ａを上記水面位置１１よりも上方に位置させ、
第２工程として、上記第２遮水シート６（Ｂ）の延出端部１２の長手方向における端縁１２ａもしくはこの延出端部１２の幅方向における側縁１２ｂ，１２ｂ´と、上記第１遮水シート６（Ａ）の延出端部１２の端縁１２ａとを接合させ、
第３工程として、上記第１遮水シート６（Ａ）の延出端部１２の折曲Ａを元の形状となるよう展開Ｂして、上記第２遮水シート６（Ｂ）を水平方向に長く延ばすと共にその長手方向の各部断面が上記水面位置１１を横切って上下に延びるようにしたことを特徴とする遮水シートの延出端部同士の接合方法である。
【００１０】
請求項２の発明は、図４に例示するように、上記第１工程として、上記第１遮水シート６（Ａ）の延出端部１２を折曲Ａして、上記端縁１２ａを上記第１遮水シート６（Ａ）の上縁とほぼ同じ高さに位置させ、
上記第２工程として、上記第２遮水シート６（Ｂ）を水平方向に長く延ばすと共に、その長手方向の各部断面が上記水面位置１１を横切って上下に延びるようにし、この第２遮水シート６（Ｂ）の延出端部１２の上側の側縁１２ｂと、上記第１遮水シート６（Ａ）の延出端部１２の端縁１２ａとを接合させたことを特徴とする請求項１に記載の遮水シートの延出端部同士の接合方法である。
【００１１】
請求項３の発明は、図５，６に例示するように、上記第１工程として、上記第１遮水シート６（Ａ）の延出端部１２を折曲Ａして、上記端縁１２ａを上記第１遮水シート６（Ａ）の上縁とほぼ同じ高さに位置させ、
一方、上記第２遮水シート６（Ｂ）を水平方向に長く延ばすと共に、その長手方向の各部断面が上記水面位置１１を横切って上下に延びるようにし、この第２遮水シート６（Ｂ）の延出端部１２を上記長手方向で折り返すよう折曲Ｄして折返片２６を形成すると共に、この折曲Ｄとは逆方向にこの折返片２６を折曲Ｅして、この延出端部１２の端縁１２ａを上記第２遮水シート６（Ｂ）の上縁とほぼ同じ高さに位置させ、
上記第２工程として、上記折曲Ａした第１遮水シート６（Ａ）の延出端部１２を、上記逆方向に折曲Ｅした上記折返片２６に相対的に嵌入させて、上記第１、第２遮水シート６（Ａ），６（Ｂ）の延出端部１２の各端縁１２ａ，１２ａ同士を接合させたことを特徴とする請求項１に記載の遮水シートの延出端部同士の接合方法である。
【００１２】
請求項４の発明は、図２〜４に例示するように、上記延出端部１２を折曲Ａ，Ｄ，Ｅさせるに際し、この延出端部１２を地面上に敷設し、次に、この延出端部１２の上面において、この延出端部１２を谷折れさせるべき折曲線１９に沿って重り２０を設置し、この重り２０を基準として上記延出端部１２を折曲Ａ，Ｄ，Ｅさせることを特徴とする請求項１から３のうちいずれか１つに記載の遮水シートの延出端部同士の接合方法である。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、水平方向に長く延びると共に、その長手方向の各部断面が水面位置を横切って上下に延びる帯形状の第１遮水シートの延出端部と、この延出端部に対向する帯形状の第２遮水シートの延出端部とを上記第１遮水シートの幅方向のほぼ全体にわたり連続的に接合させるようにした遮水シートの延出端部同士の接合方法であって、
第１工程として、上記第１遮水シートの延出端部を折曲してこの延出端部の上記長手方向における端縁を上記水面位置よりも上方に位置させ、
第２工程として、上記第２遮水シートの延出端部の長手方向における端縁もしくはこの延出端部の幅方向における側縁と、上記第１遮水シートの延出端部の端縁とを接合させ、
第３工程として、上記第１遮水シートの延出端部の折曲を元の形状となるよう展開して、上記第２遮水シートを水平方向に長く延ばすと共にその長手方向の各部断面が上記水面位置を横切って上下に延びるようにしている。
【００１６】
このため、上記第１、第２遮水シートの両延出端部の接合作業は、水面位置よりも上方で可能であることから、水に邪魔されることなく、この接合作業を熱溶着や接着によりすることができる。よって、上記延出端部間にはより確実な水密性が得られる。
【００１７】
また、上記両延出端部の接合作業を上記水面位置よりも上方ですることは、上記第１遮水シートの延出端部を折曲して、その端縁を水面位置よりも上方に位置させたことによるのであって、この作業は容易にできる。このため、上記接合作業はより確実な水密性を得るためのものであるが、この接合作業は容易にできる。
【００１８】
請求項２の発明は、上記第１工程として、上記第１遮水シートの延出端部を折曲して、上記端縁を上記第１遮水シートの上縁とほぼ同じ高さに位置させ、
上記第２工程として、上記第２遮水シートを水平方向に長く延ばすと共に、その長手方向の各部断面が上記水面位置を横切って上下に延びるようにし、この第２遮水シートの延出端部の上側の側縁と、上記第１遮水シートの延出端部の端縁とを接合させている。
【００１９】
このため、上記第１、第２遮水シートの両延出端部同士の接合は、これら第１、第２遮水シートの各長手方向をそれぞれ水平にし、かつ、互いに同じ高さのままですることができる。よって、上記接合作業が単純となり、この接合作業は更に容易にできる。
【００２０】
請求項３の発明は、上記第１工程として、上記第１遮水シートの延出端部を折曲して、上記端縁を上記第１遮水シートの上縁とほぼ同じ高さに位置させ、
一方、上記第２遮水シートを水平方向に長く延ばすと共に、その長手方向の各部断面が上記水面位置を横切って上下に延びるようにし、この第２遮水シートの延出端部を上記長手方向で折り返すよう折曲して折返片を形成すると共に、この折曲とは逆方向にこの折返片を折曲して、この延出端部の端縁を上記第２遮水シートの上縁とほぼ同じ高さに位置させ、
上記第２工程として、上記折曲した第１遮水シートの延出端部を、上記逆方向に折曲した上記折返片に相対的に嵌入させて、上記第１、第２遮水シートの延出端部の各端縁同士を接合させている。
【００２１】
このため、上記請求項２と同様の効果が生じる。
【００２２】
請求項４の発明は、上記延出端部を折曲させるに際し、この延出端部を地面上に敷設し、次に、この延出端部の上面において、この延出端部を谷折れさせるべき折曲線に沿って重りを設置し、この重りを基準として上記延出端部を折曲させている。
【００２３】
このため、上記遮水シートがある程度硬いものであるとしても、上記重りにより、遮水シートの延出端部は所望の折曲線で精度よく容易に折曲されることから、その後の接合作業が容易にできる。また、この折曲時に上記地面に対し上記延出端部が容易に位置ずれすることは、上記重りにより防止されることから、上記折曲作業がより確実に容易にできる。よって、上記遮水シートの延出端部同士の接合作業が更に容易にできる。
【発明を実施するための最良の形態】
【００２４】
本発明の遮水シートの延出端部同士の接合方法に関し、互いに対向するように延びる遮水シートの両延出端部同士の接合作業によって、これら両延出端部間により確実な水密性が得られるようにすると共に、上記接合作業が容易にできるようにする、という目的を実現するため、本発明を実施するための最良の形態は、次の如くである。
【００２５】
即ち、遮水シートの延出端部同士の接合方法は、水平方向に長く延びると共に、その長手方向の各部断面が水面位置を横切って上下に延びる帯形状の第１遮水シートの延出端部と、この延出端部に対向する帯形状の第２遮水シートの延出端部とを上記第１遮水シートの幅方向のほぼ全体にわたり連続的に接合させるようにしたものである。
【００２６】
そして、第１工程として、上記第１遮水シートの延出端部を折曲してこの延出端部の上記長手方向における端縁を上記水面位置よりも上方に位置させ、
第２工程として、上記第２遮水シートの延出端部の長手方向における端縁もしくはこの延出端部の幅方向における側縁と、上記第１遮水シートの延出端部の端縁とを接合させ、
第３工程として、上記第１遮水シートの延出端部の折曲を元の形状となるよう展開して、上記第２遮水シートを水平方向に長く延ばすと共にその長手方向の各部断面が上記水面位置を横切って上下に延びるようにしている。
【実施例１】
【００２７】
本発明をより詳細に説明するために、その実施例１を添付の図１〜３に従って説明する。
【００２８】
図１、図２（ｃ）において、符号１は、各種廃棄物の廃棄処分場としての埋立地である。この埋立地１は、水２が存在する埋立域である有水域３と、この有水域３に隣接する護岸であって遮水されるべき被遮水域４と、これら有水域３および被遮水域４の法面である傾斜面５の間に介設され、上記傾斜面５上に敷設される遮水シート６と、この遮水シート６の下端縁と有水域３の底面とに跨るように設けられる樹脂製であってアスファルトマスチックといわれる遮水材７と、この遮水材７の施工時の自由な流動を阻止する流動阻止ブロック８とを備えている。
【００２９】
上記遮水シート６は、熱可塑性の高密度ポリエチレン（ＨＤＰＥ）、低密度ポリエチレン（ＬＤＰＥ）、もしくは塩化ビニールなどの樹脂製であって熱可塑性を有し、厚さはほぼ１．５ｍｍ以上であって、通常ほぼ３ｍｍとされている。
【００３０】
上記遮水シート６は、上記被遮水域４の長手方向に沿って水平方向に長く延びると共に、その長手方向の各部断面が上記水２の水面位置１１を横切って上下に延びる帯形状をなしている。上記遮水シート６は、上記長手方向で列設される第１、第２遮水シート６（Ａ），６（Ｂ）を備えている。
【００３１】
上記長手方向に沿って互いに対向するよう延びてきた上記第１、第２遮水シート６（Ａ），６（Ｂ）の延出端部１２，１２の端縁１２ａ，１２ａは互いに熱溶着により接合されて接合線１３が形成されている。この接合線１３は、上記遮水シート６の幅方向のほぼ全体にわたり、かつ、連続的に形成され、十分の水密性を有している。上記各遮水シート６の延出端部１２において、その長手方向に対し、上記各端縁１２ａはそれぞれほぼ直交している。これにより、上記第１、第２遮水シート６（Ａ），６（Ｂ）はそれぞれ水平に延び、かつ、平面視で、全体的に直線的に延びている。なお、上記両延出端部１２，１２同士の接合は、接着材を用いた接着によるものであってもよい。
【００３２】
図２，３において、上記遮水シート６の延出端部１２，１２同士の接合方法につき説明する。なお、図２における遮水シート６は、説明を簡素化するために、平坦な簡略図で示してある。
【００３３】
図２（ａ）において、上記したように、水平方向に長く延びると共に、その長手方向の各部断面が水面位置１１を横切って上下に延びる帯形状の第１遮水シート６（Ａ）と、この第１遮水シート６（Ａ）の延出端部１２に、長手方向の延出端部１２が対向する帯形状の第２遮水シート６（Ｂ）とが示されている。この場合、平面視で、上記第１、第２遮水シート６（Ａ），６（Ｂ）の各長手方向はほぼ直交するよう配置されている。
【００３４】
図２（ｂ）において、第１工程として、上記第１遮水シート６（Ａ）の延出端部１２の端縁１２ａと、この延出端部１２の幅方向における側縁１２ｂ，１２ｂ´のうちの上記端縁１２ａに連なる下側の側縁１２ｂ´とで形成される三角片１６の底辺１７を、上記延出端部１２の上面が谷折れ状となるよう折曲Ａして上記端縁１２ａを水面位置１１よりも上方に位置させる。また、この場合、上記端縁１２ａを上記第１遮水シート６（Ａ）の上縁とほぼ同じ高さに位置させる。
【００３５】
図２（ｂ）、図３において、上記第１遮水シート６（Ａ）の延出端部１２を折曲Ａさせるに際し、前記したように、この延出端部１２は地面上である上記被遮水域４の傾斜面５上に敷設されている。そして、上記延出端部１２の上面において、この延出端部１２を谷折れさせるべき折曲線１９である上記底辺１７に沿うよう長尺の重り２０を設置する。そして、この重り２０を基準として上記延出端部１２を折曲Ａさせる。また、この折曲Ａ後において、適宜、上記重り２０を除去する。
【００３６】
上記重り２０は、筒形状のシート製ケース２１や、押出し成形による樹脂製ケース２１の中にモルタルや固化処理土などの重り本体２２を充填した剛性を有するものであるが、布製の型枠などで形成してもよく、可撓性を有するものでもよい。また、この重り２０を複数の重りブロックにより構成し、これらブロックを上記折曲線１９に沿って設置してもよい。
【００３７】
また、上記第２工程の続きとして、上記折曲Ａにより形成された三角片１６の外面に上記第２遮水シート６（Ｂ）の延出端部１２を重ねる。そして、この第２遮水シート６（Ｂ）の延出端部１２の長手方向における端縁１２ａと、上記第１遮水シート６（Ａ）の延出端部１２の端縁１２ａとを接合させて接合線１３を形成する。
【００３８】
図２（ｃ）において、第３工程として、上記第１遮水シート６（Ａ）の延出端部１２の折曲Ａを元の形状となるよう展開Ｂする。また、この際、図中矢印Ｃで示すように、上記第２遮水シート６（Ｂ）を水平方向に長く延ばすと共に、その長手方向の各部断面が上記水面位置１１を横切って上下に延びるよう上記被遮水域４の傾斜面５上に敷設する。
【００３９】
これにより、上記遮水シート６の延出端部１２，１２同士の接合が完了し、上記被遮水域４の傾斜面５への遮水シート６の敷設が完了する。
【００４０】
なお、以上は図示の例によるが、上記遮水シート６の長手方向における各部断面は、ほぼ垂直に延びるものであってもよい。また、上記第１、第２遮水シート６（Ａ），６（Ｂ）の長手方向で、その各延出端部１２とは逆方向の各端部は互いに一体的に形成されていてもよい。
【００４１】
また、上記第１、第２遮水シート６（Ａ），６（Ｂ）の各延出端部１２，１２において、その長手方向に対する端縁１２ａのなす角度を種々選択することができる。これによれば、それぞれ水平に延びる第１、第２遮水シート６（Ａ），６（Ｂ）のなす平面視の角度を鋭角や鈍角にさせることができ、平面視で屈曲した被遮水域４の傾斜面５に対応させることができる。
【００４２】
以下の図４〜６は、実施例２，３を示している。これら実施例２，３は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００４３】
本発明をより詳細に説明するために、その実施例２を添付の図４に従って説明する。
【００４４】
図４（ａ）において、第１、第２遮水シート６（Ａ），６（Ｂ）は上記被遮水域４の傾斜面５上において、この傾斜面５の長手方向で、直線的に列設されている。
【００４５】
図４（ｂ）において、前記第２工程として、上記折曲Ａにより形成された三角片１６の外面に上記第２遮水シート６（Ｂ）の延出端部１２を重ねる。そして、この第２遮水シート６（Ｂ）の延出端部１２の幅方向における両側縁１２ｂ，１２ｂ´のうち、上側の側縁１２ｂと、上記第１遮水シート６（Ａ）の延出端部１２の端縁１２ａとを接合させて接合線１３を形成する。
【００４６】
図２（ｃ）において、前記第３工程として、上記第１遮水シート６（Ａ）の延出端部１２の折曲Ａを元の形状となるよう展開Ｂする。また、この際、上記第２遮水シート６（Ｂ）の延出端部１２において、上記三角片１６に対応する三角片を上記展開Ｂに伴い折曲する。
【００４７】
上記遮水シート６の延出端部１２，１２同士の接合方法として、上記実施例１，２の構成によれば、第１工程として、上記第１遮水シート６（Ａ）の延出端部１２を折曲Ａしてこの延出端部１２の上記長手方向における端縁１２ａを上記水面位置１１よりも上方に位置させ、
第２工程として、上記第２遮水シート６（Ｂ）の延出端部１２の長手方向における端縁１２ａもしくはこの延出端部１２の幅方向における側縁１２ｂ，１２ｂ´と、上記第１遮水シート６（Ａ）の延出端部１２の端縁１２ａとを接合させ、
第３工程として、上記第１遮水シート６（Ａ）の延出端部１２の折曲Ａを元の形状となるよう展開Ｂして、上記第２遮水シート６（Ｂ）を水平方向に長く延ばすと共にその長手方向の各部断面が上記水面位置１１を横切って上下に延びるようにしている。
【００４８】
このため、上記第１、第２遮水シート６（Ａ），６（Ｂ）の両延出端部１２，１２の接合作業は、水面位置１１よりも上方で可能であることから、水２に邪魔されることなく、この接合作業を熱溶着や接着によりすることができる。よって、上記延出端部１２，１２間にはより確実な水密性が得られる。
【００４９】
また、上記両延出端部１２，１２の接合作業を上記水面位置１１よりも上方ですることは、上記第１遮水シート６（Ａ）の延出端部１２を単に折曲Ａして、その端縁１２ａを水面位置１１よりも上方に位置させたことによるのであって、この作業は容易にできる。このため、上記接合作業はより確実な水密性を得るためのものであるが、この接合作業は容易にできる。
【００５０】
また、前記したように、第１工程として、上記第１遮水シート６（Ａ）の延出端部１２を折曲Ａして、上記端縁１２ａを上記第１遮水シート６（Ａ）の上縁とほぼ同じ高さに位置させ、
上記第２工程として、上記第２遮水シート６（Ｂ）を水平方向に長く延ばすと共に、その長手方向の各部断面が上記水面位置１１を横切って上下に延びるようにし、この第２遮水シート６（Ｂ）の延出端部１２の上側の側縁１２ｂと、上記第１遮水シート６（Ａ）の延出端部１２の端縁１２ａとを接合させている。
【００５１】
このため、上記第１、第２遮水シート６（Ａ），６（Ｂ）の両延出端部１２，１２同士の接合は、これら第１、第２遮水シート６（Ａ），６（Ｂ）の各長手方向をそれぞれ水平にし、かつ、互いに同じ高さのままですることができる。よって、上記接合作業が単純となり、この接合作業は更に容易にできる。
【００５２】
また、前記したように、延出端部１２を折曲Ａ，Ｄ，Ｅさせるに際し、この延出端部１２を地面上に敷設し、次に、この延出端部１２の上面において、この延出端部１２を谷折れさせるべき折曲線１９に沿う長尺の重り２０を設置し、この重り２０を基準として上記延出端部１２の折曲Ａ，Ｄ，Ｅさせている。
【００５３】
このため、上記遮水シート６がある程度硬いものであるとしても、上記重り２０により、遮水シート６の延出端部１２は所望の折曲線１９で精度よく容易に折曲Ａされることから、その後の接合作業が容易にできる。また、この折曲Ａ時に上記地面に対し上記延出端部１２が容易に位置ずれすることは、上記重り２０により防止されることから、上記折曲作業がより確実に容易にできる。よって、上記遮水シート６の延出端部１２同士の接合作業が更に容易にできる。
【実施例３】
【００５４】
本発明をより詳細に説明するために、その実施例３を添付の図５，６に従って説明する。
【００５５】
図５（ａ）、図６において、上記遮水シート６の第１、第２遮水シート６（Ａ），６（Ｂ）は水平方向に直線的に列設されている。この遮水シート６は、地面上に形成された断面縦長の溝２５に収容されている。この溝２５を基準として、その一方側が有水域３とされ、他方側が被遮水域４とされている。なお、上記第１、第２遮水シート６（Ａ），６（Ｂ）が接合された後は、上記溝２５内に土砂などが投入され、遮水シート６は地中に埋入される。
【００５６】
図５（ｂ）において、前記第１工程として、前記実施例２の第１工程と同様に、上記第１遮水シート６（Ａ）の延出端部１２には三角片１６が形成される。
【００５７】
一方、上記第２遮水シート６（Ｂ）の延出端部１２をその長手方向で折り返すよう折曲Ｄして、折返片２６を形成する。また、この折曲Ｄとは逆方向にこの折返片２６を折曲Ｅして、上記第２遮水シート６（Ｂ）の延出端部１２の端縁１２ａを上記水面位置１１よりも上方に位置させる。また、この場合、上記端縁１２ａを上記第２遮水シート６（Ｂ）の上縁とほぼ同じ高さに位置させる。
【００５８】
図５（ｃ）において、前記第２工程として、上記折曲Ａした第１遮水シート６（Ａ）の延出端部１２を、上記逆方向に折曲Ｅした上記折返片２６に、水平方向で相対的に嵌入させる。そして、上記第１、第２遮水シート６（Ａ），６（Ｂ）の延出端部１２の各端縁１２ａ，１２ａ同士を接合させて接合線１３を形成する。
【００５９】
図５（ｄ）において、前記第３工程として、第１、第２遮水シート６（Ａ），６（Ｂ）の上記折曲Ａ，Ｅを元の形状となるよう展開Ｂする。
【００６０】
なお、この実施例３で示した遮水シート６は、前記実施例１，２で示した被遮水域４の傾斜面５にも適用可能である。
【図面の簡単な説明】
【００６１】
【図１】実施例１を示し、埋立地の部分側面断面図である。
【図２】実施例１を示し、遮水シートの延出端部同士の接合方法を説明する図である。
【図３】実施例１を示し、図２のIII−III線矢視断面図である。
【図４】実施例２を示し、図２に相当する図である。
【図５】実施例３を示し、図２に相当する図である。
【図６】実施例３を示し、図５のVI−VI線矢視断面図である。
【符号の説明】
【００６２】
１    埋立地
２    水
３    有水域
４    被遮水域
５    傾斜面
６    遮水シート
１１  水面位置
１２  延出端部
１２ａ  端縁
１２ｂ  側縁
１２ｂ´  側縁
１３  接合線
１６  三角片
１７  底辺
１９  折曲線
２０  重り
２６  折返片
Ａ    折曲
Ｂ    展開
Ｄ    折曲
Ｅ    折曲
【図１】
0005004303.tif 000002
【図２】
0005004303.tif 000003
【図３】
0005004303.tif 000004
【図４】
0005004303.tif 000005
【図５】
0005004303.tif 000006
【図６】
0005004303.tif 000007